(57)【要約】  内部に配置された少なくとも１つの電気的な構成部材（２）と少なくとも１つの電気的な供給ライン（１０）とを有するハウジング（１）であって、ハウジング（１）が少なくとも１つの導通開口（１２）を有し、電気的な供給ライン（１０）が導通開口（１２）を通してハウジング（１）の外部から内部へ導通され、電気的な構成部材（２）と電気的な供給ライン（１０）との間に電気的な接続が形成されている。
2009507236.tif 000002
【特許請求の範囲】
【請求項１】
内部に配置された少なくとも１つの電気的な構成部材（２）と少なくとも１つの電気的な供給ライン（１０）とを有するハウジング（１）であって、ハウジング（１）が少なくとも１つの導通開口（１２）を有し、電気的な供給ライン（１０）が導通開口（１２）を通してハウジング（１）の外部から内部へ導通させられており、電気的な構成部材（２）と電気的な供給ライン（１０）との間に電気的な接続が形成されていることを特徴とする、電気的な構成部材と電気的な供給ラインとを有するハウジング。
【請求項２】
ハウジング（１）内に少なくとも１つの第１の接触部材（３）が配置されかつ電気的な供給ライン（１０）に第２の接触部材（６）とが配置されており、電気的な構成部材（２）が第１の接触部材（３）とかつ電気的な供給ライン（１０）が第２の接触部材（６）と電気的に接続されており、第１の接触部材（３）と第２の接触部材（６）が互いに接触接続部（３，６）を形成している、請求項１記載のハウジング。
【請求項３】
電気的な接触接続部（３，６）が解離可能に構成されている、請求項１記載のハウジング。
【請求項４】
電気的な接触接続部（３，６）がハウジング（１）の内部に配置されている、請求項２又は３記載のハウジング。
【請求項５】
電気的な供給ライン（１０）が第２の接触部材（６）と固定的に結合されており、電気的な供給ライン（１０）が第２の接触部材（６）と一緒に導通開口（１２）を通して導通可能である、請求項２から４までのいずれか１項記載のハウジング。
【請求項６】
ハウジング（１）が閉じられている、請求項１から５までのいずれか１項記載のハウジング。
【請求項７】
ハウジング（１）が一体に構成されている、請求項１から６までのいずれか１項記載のハウジング。
【請求項８】
ハウジング（１）と電気的な供給ライン（１０）との間の導通開口（１２）内にシール部材（４）が配置されている、請求項１から７までのいずれか１項記載のハウジング。
【請求項９】
ハウジング内部に電気的な接続、特に電気的な接触接続部（３，６）を形成するために、少なくとも電気的な供給ライン（１０）及び／又は第２の接触部材（６）を位置決めする案内部材（９）が配置されている、請求項１から８までのいずれか１項記載のハウジング。
【請求項１０】
ハウジング（１）が、該ハウジング（１）を保持装置に結合するのに適した取付け部材（７）を少なくとも１つ有している、請求項１から９までのいずれか１項記載のハウジング。
【請求項１１】
電気的な構成部材（２）がマイクロメカニック式の機能部材、特にマイクロメカニック式のセンサ部材を含んでいる、請求項１から１０までのいずれか１項記載のハウジング。
【発明の詳細な説明】
【技術分野】
【０００１】
本発明は電気的な構成部材と電気的な供給ラインとを有するハウジングに関する。
【０００２】
電気的な構成部材又は構成グループは環境の影響に対する保護のためにしばしばハウジング内に配置される。このハウジングは多くの場合、電気的な供給ラインを備え、該供給ラインを介して情報が交換されるか又は供給電圧が供給される。このためにハウジングは多くの場合、外部の差込結合部を介して電気的な供給ラインと接続されている。特に自動車における安全に関連した構成部材においては、外部の差込結合は付加的に安全部材（差込安全装置）を有している。この安全部材は整然とした差込結合を保証するか又は差込結合を差込んだ場合に、これが確実に実施されたか否かを表示する視覚的なコントロール部材（いわゆるレッドニードル  Ｒｏｔｅｒ  Ｎａｇｅｌ）を有している。外部の固定のためには、記述したハウジングはしばしば固定部材、例えばブッシュ又はあらかじめ取付けられたねじを有している。取付けに際してはハウジングは自動車内に取付けられ、差込結合で電気的な供給ラインと接続される。小さい電気的な構成部材の場合には外部の差込結合並びにその安全部材又はコントロール部材及び取付け部材はハウジング容量とハウジング重量との大きな割合を占める。従来用いられていた差込器と対応差込器はしばしば複雑に構成され、高い寸法精度を必要とし、多くの場合、確実な接触機能とシール機能とを保証するために複数のシール部材を有している。限られたスペース関係、より確実な電気的な接続及び機械的な負荷、例えば振動に対するハウジングのできるだけ少ない損傷を条件として、できるだけコンパクトで簡単なハウジング形状が望まれる。
【０００３】
発明の利点
本発明は少なくとも１つの電気的な構成部材と少なくとも１つの電気的な供給ラインとを有するハウジングに関する。この場合、ハウジングは少なくとも１つの導通開口を有し、電気的な供給ラインは導通開口を通して外部からハウジング内部へ導かれている。電気的な構成部材と電気的な供給ラインとの間には電気的な接続が形成されている。有利には供給ラインを有する本発明によるハウジングは、外部の差込器と対応差込器とを有していない。これにより有利にはハウジングの構成的な複雑性は減じられ、ひいては費用が低減される。有利には本発明のハウジングは公知技術による従来のものよりも小さい。有利には本発明によるハウジングの場合には電気的な供給ラインはハウジング内へ直接的に挿入されていることができる。
【０００４】
本発明の有利な構成では、ハウジング内に少なくとも１つの第１の接触部材が配置され、電気的な供給ラインに少なくとも１つの第２の接触部材が配置され、電気的な構成部材が第１の接触部材と電気的に接続され、電気的な供給ラインが第２の接触部材と電気的に接続されている。第１の接触部材と第２の接触部材とは互いに電気的な接触接続を有している。有利には電気的な供給ラインはこのようにして構成部材と電気的に接続されることができる。
【０００５】
有利な構成では、電気的な接触接続は解離可能な接触接続として構成されている。このようにして有利な形式で本来のハウジングと電気的な供給ラインとを解体のために互いに離別させることができる。又、電気的な接触接続部がハウジングの内部に配置されていると有利である。このようにして接触接続部は環境の影響に対し保護される。
【０００６】
本発明の有利な構成では、電気的な供給ラインが第２の接触部材と固定的に結合され、電気的な供給ラインが第２の接触部材と一緒に導通開口を通して導かれることができるようになっている。このようにして有利には最終的に閉じられたハウジング内に取付けられた構成部材が電気的な供給ラインと接続されることができる。
【０００７】
本発明の有利な構成ではハウジングは閉じられている。これにより構成部材と接触接続部とは環境の影響に対し特に良好に保護される。さらにハウジングが一体に構成されていることも有利である。これは公知技術とは異なって複雑性の低い本発明によるハウジングの構成によって可能で、ハウジングを簡易化しかつ安い製造を可能にする。
【０００８】
さらに本発明の有利な構成では導通開口にてハウジングと電気的な供給ラインとの間にシール部材が配置されている。このような形式で閉じたハウジングが得られる。又、シール部材によっては有利には電気的な供給ラインのために引張負荷の減少が得られる。有利にはシール部材は可塑性の材料、例えば合成樹脂又はパテー剤から成るか又は弾性的な材料、例えばエラストマ又はゴムから成っていることができる。他の有利な実施例ではシール部材は接着剤であって電気的な供給ラインとの材料接続的な結合を行なう。
【０００９】
さらに本発明の有利な構成ではハウジング内部には電気的な接続、特に解離可能な電気的な接触接続を形成するために、電気的な供給ライン又は第２の接触部材を位置決めする案内部材が配置されている。このようにして有利には供給ラインと構成部材との間の電気的な接続の形成が容易になるか又はこれが困難な構成的な所与、例えば構成部材及び導通開口及び第１の接触部材相互の複雑な配置のもとでもはじめて可能になる。
【００１０】
又、ハウジングが単数又は複数の取付け部材を有し、この取付け部材がハウジングと保持装置との結合に適していると有利である。
【００１１】
本発明の特に有利な構成では電気的な構成部材は少なくとも１つのマイクロメカニック式の機能部材、特にマイクロメカニック式のセンサエレメントである。
【００１２】
自動車における電気的な構成部材、例えばセンサ、マイクロメカニック式の機能エレメント又は特に小さい構成エレメントのためには、構成部材を有する本発明によるハウジングは一連の利点を有する。
【００１３】
従来のハウジングにおける周辺の加速度センサでは差込接続（ハウジングにおける差込器と対応差込器）はハウジングの容量と重量とにおいて大きな割合を占める。これによって配置に応じて低周波の共振に基づく振動問題が発生する。これは多くの場合には付加的な固定部材、例えば付加的なブッシュとねじとの使用を必要とする。ハウジング内への差込接続の有利な統合によって、重量と容積は著しく低減され、固定個所又は保持装置におけるハウジングの機械的な連結が好適化されるので、少ないか又は寸法の小さい取付け部材で足りるようになる。
【００１４】
従来使用されていた差込器と対応差込器はしばしば複雑に構成され、高い寸法精度を必要とし、確実な接触機能とシール機能とを保証するためにはしばしば複数のシール部材を有している。これらの必要性は本発明のハウジングでは消滅するか少なくとも減少する。これは特に本発明を自動車に用いた場合に有利である。何故ならばこの分野では構成部材は環境の影響、例えば塵埃、湿気及び大きな温度変動に晒されるからである。
【００１５】
本発明の別の利点は差込器ケーシングと対応差込器ケーシング並びに場合により存在する可能性のあるシールが不要になることである。これと相俟って有利な形式で、付加的な安全部材（差込器安全装置）又は視覚的なコントロール部材（レッドニードル）は不要になる。さらに本発明のハウジングを組立てる場合には差込過程が消滅する。何故ならば構成的に差込結合がなくなるからである。差込器ケーシングと対応差込器ケーシングの消滅は、特に小さなハウジングの場合にはハウジングとこのようなハウジングを保持するために必要な構成スペースとのさらなる縮小を可能にする。さらに差込器と差込器シールとの省略によってハウジングの確実性は高められる。
【００１６】
本発明の更なる有利な構成は従属請求項に記載されている。
【００１７】
実施例の説明
以下に図示の実施例に基づき本発明を詳細に説明する。
【００１８】
図１ａと１ｂは、公知技術による電気的な構成部材と電気的な供給ラインとを有するハウジングを概略的に示している。
【００１９】
図１ｂには内部に配置された電気的な構成部材２を有する閉じられたハウジング１が示されている。ハウジング１には外部の固定のために舌片の形をした取付け部材７が設けられている。ハウジング１の壁を通して第１の接触部材３が導かれている。この接触部材３は接触ピンの形を有し、電気的な構成部材２と電気的に接続されている。ハウジング１はこの領域にてその外側に差込器受容部又は対応差込器１１を有している。
【００２０】
図１ａには接触ブッシュの形をした第２の接触部材を有する差込器を備えた電気的な供給ライン１０が示されている。供給ライン１０と差込器８との間には、ラインシール４が配置されている。差込器８と差込器受容部１１との接続領域においては差込器８に差込器シール５が配置されている。
【００２１】
差込器８を差込器受容部１１に差込んだあとで、第１と第２の接触部材３と６との間には閉じられたハウジング１の外側に配置された接触接続部３，６が形成される。シール４，５は閉じられた空間を電気的な接触接続部３，６の周囲に形成しかつこの空間を環境の影響に対し保護するために役立つ。差込器８と差込器受容部１１とは複雑性、特に小さなハウジングの場合には対象物の総構成寸法に著しく関与する。
【００２２】
図２は電気的な構成部材と電気的な供給ラインとを有する本発明によるハウジングを概略的に示している。図示されているのは内部に配置された電気的な構成部材２を有する閉じたハウジング１である。さらにハウジング１内には電気的な構成部材２に電気的に接続されている第１の接触部材３が配置されている。ハウジング１は内から外への導通開口１２を有し、この導通開口１２を通って電気的な供給ライン１０が導かれている。導通開口１２内にはハウジング１と電気的な供給ライン１０との間にシール部材４が配置されている。電気的な供給ライン１０には第２の接触部材６が配置され、該第２の接触部材６は供給ライン１０に電気的に接続されている。第１の接触部材３と第２の接触部材６とは、第１の接触部材３と第２の接触部材６とが互いに機械的に結合されることによって形成される電気的な接触接続部３，６を互いに有している。電気的な接触接続部３，６は有利には解離可能に構成されている。電気的な接触接続部３，６はハウジング１の内部に配置されている。接触接続部３，６の開閉のためには電気的な供給ライン１０がそこに存在する第２の接触部材６と一緒に導通開口１２を通してハウジング内部へ導入されるか又はハウジング外部へ除去される。
【００２３】
ここに記載した実施例においてはさらに、電気的な供給ライン１０及び／又は第２の接触部材６を位置決めするための案内部材９が設けられている。案内部材９はハウジング１内に、電気的な供給ライン１０と第２の接触部材６とを導通開口１２を通してハウジング内部へ導入する場合に、供給ライン１０と第２の接触部材６とが正しい位置へもたらされ、接触接続部３，６が閉じられるように配置されている。
【００２４】
さらにハウジング１は、ハウジングを外の保持装置と結合するのに適した単数又は複数の取付け部材７を有している。取付け部材７は例えば図２に示されているように舌状部であることができる。
【００２５】
本発明の１実施例は電気的な構成部材がマイクロメカニック式の構成部材、特に例えば加速度センサであるマイクロメカニック式のセンサである構成を含んでいる。センサはハウジング１内に配置され、ケーブルビームの形をした電気的な供給ライン１０に接続されている。本発明のハウジングはケーブルビームと一緒に例えば自動車内に完全なユニットとして取付けることができる。
【００２６】
本発明のハウジングの１実施例では、電気的な供給ライン１０が接触部材３及び選択的にシール部材４と共に直接的にハウジング１に取付けることが、電気的な供給ライン１０が差込器８内に取付けられる公知技術における従来の取付けプロセスに相応して可能である。この場合にはセンサ電子装置の接続ピンも直接的に接触させられることもできる。
【図面の簡単な説明】
【００２７】
【図１】図１ａと図１ｂは電気的な構成部分と電気的な供給ラインとを有する公知のハウジングの概略図。
【図２】電気的な構成部材と供給ラインとを有する本発明のハウジングの概略図。
【符号の説明】
【００２８】
１  ハウジング、  ２  電気的構成部材、  ３  接触部材、  ４  ラインシール、  ５  差込器シール、  ６  接触部材、  ７  取付け部材、  ８  差込器、  ９  案内部材、  １０  供給ライン、  １１  対応差込器、  １２  導通開口
【図１ａ】
2009507236.tif 000003
【図１ｂ】
2009507236.tif 000004
【図２】
2009507236.tif 000005
【国際調査報告】
2009507236.tif 000006
2009507236.tif 000007
2009507236.tif 000008
2009507236.tif 000009